(57)【要約】【課題】鉄板に鉄筋を配筋する場合において、ベースとなる鉄筋を溶接を使うことなく鉄板に垂直に固定できるようにすることを課題とする。【解決手段】端部がＵ字状に曲がった鉄筋を鉄板上に固定する鉄板用鉄筋固定具として、弾性を有する素材からなり、前記鉄板を挟持する前記鉄板の厚さよりやや狭い隙間を有する鉄板挟持部と、弾性を有する素材からなり、前記鉄板面上に前記Ｕ字状に曲がった部分が略垂直になるように配置される前記鉄筋を挟持する前記鉄筋の最大径よりもやや狭い隙間を有する、前記鉄板挟持部に一体に形成される鉄筋挟持部とを設ける。【選択図】  図１
0003172212.tif 000002
【実用新案登録請求の範囲】
【請求項１】
端部がＵ字状に曲がった鉄筋を鉄板上に固定する器具であって、
弾性を有する素材からなり、前記鉄板を挟持する前記鉄板の厚さよりやや狭い隙間を有する鉄板挟持部と、
弾性を有する素材からなり、前記鉄板面上に前記Ｕ字状に曲がった部分が略垂直になるように配置される前記鉄筋を挟持する前記鉄筋の最大径よりもやや狭い隙間を有する、前記鉄板挟持部に一体に形成される鉄筋挟持部と
を有する鉄板用鉄筋固定具。
【請求項２】
前記鉄筋は前記鉄板の両面に配置されるものであって、前記鉄筋挟持部は前記鉄板挟持部を挟んで二箇所に設けられるものである請求項１に記載の鉄板用鉄筋固定具
【請求項３】
前記鉄板挟持部及び鉄筋挟持部は、金属棒を曲げたフレームとして形成されるものである請求項１又は２に記載の鉄板用鉄筋固定具。
【請求項４】
前記鉄板挟持部は金属板をＵ状に曲げることで形成され、前記鉄筋挟持部は鉄筋を挟持する隙間となるスリット状の穴が設けられた、前記金属板の前記Ｕ字状に曲げた部分の端部から立ち上がるように曲げた金属板部分により形成される請求項１又は２に記載の鉄板用鉄筋固定具。
【考案の詳細な説明】
【技術分野】
【０００１】
本考案は、鉄板上に鉄筋を固定する器具に関する。
【背景技術】
【０００２】
鉄筋コンクリート構造物において、構造の強化を図るために鉄筋とともに鉄板を含める場合がある。このような構造物においては鉄板から離れた位置に鉄筋を配置することが多く、このような配筋を行うためには、まず、両端をU字状に曲げた鉄筋をいくつか、U字状部分が鉄板面に対して垂直になるようにして鉄板に溶接固定し、この溶接固定した鉄筋をベースとして他の鉄筋を配筋していくことが行なわれる。
【考案の概要】
【考案が解決しようとする課題】
【０００３】
しかし、上述のようにベースとなる鉄筋を溶接により固定する場合、配筋作業に加えて溶接作業が必要になり、また、構造部材となる鉄板に不要な熱応力を加えることとなってしまう。
本考案は、このような問題に鑑み、鉄板に鉄筋を配筋する場合において、ベースとなる鉄筋を溶接を使うことなく鉄板に垂直に固定できるようにすることを課題とする。
【課題を解決するための手段】
【０００４】
上記課題を解決するために本考案は、次のような構成を有する。
請求項１に記載の考案は、端部がＵ字状に曲がった鉄筋を鉄板上に固定する器具であって、弾性を有する素材からなり、前記鉄板を挟持する前記鉄板の厚さよりやや狭い隙間を有する鉄板挟持部と、弾性を有する素材からなり、前記鉄板面上に前記Ｕ字状に曲がった部分が略垂直になるように配置される前記鉄筋を挟持する前記鉄筋の最大径よりもやや狭い隙間を有する、前記鉄板挟持部に一体に形成される鉄筋挟持部とを有する鉄板用鉄筋固定具である。
請求項２に記載の考案は、前記鉄板用鉄筋固定具において、前記鉄筋は前記鉄板の両面に配置されるものであって、前記鉄筋挟持部は前記鉄板挟持部を挟んで二箇所に設けられるものである。
請求項３に記載の考案は、前記鉄板用鉄筋固定具において、前記鉄板挟持部及び鉄筋挟持部は、金属棒を曲げたフレームとして形成されるものである。
請求項４に記載の考案は、請求項１又は２に記載の鉄板用鉄筋固定具において、前記鉄板挟持部は金属板をＵ状に曲げることで形成され、前記鉄筋挟持部は鉄筋を挟持する隙間となるスリット状の穴が設けられた、前記金属板の前記Ｕ字状に曲げた部分の端部から立ち上がるように曲げた金属板部分により形成されるものである。
【考案の効果】
【０００５】
以上のような構成により、本考案は次のような効果を奏する。
請求項１に記載の考案は、鉄筋を固定する鉄板の端部に鉄板狭持部を嵌め込み鉄板に固定した後に、鉄筋狭持部に鉄筋のU字状に曲がった部分を嵌め込むことで、鉄筋を鉄板に垂直に立てた状態に固定することができる。この状態の鉄筋をベースに他の鉄筋を配筋していくことで、溶接作業を要することなく鉄板に鉄筋を固定することができるので、溶接作業を省いて作業の効率化が図れるとともに、鉄板に不要な熱を加える必要をなくすことができる。
請求項２に記載の考案は、鉄板狭持部が固定された鉄板の両面に鉄筋狭持部を配置することができるので、一つの鉄板用鉄筋固定具で鉄板の両面に鉄筋を垂直に固定することができる。
請求項３に記載の考案は、金属棒を曲げたフレームとして形成することで全体の重量を比較的軽くすることができる。
請求項４に記載の考案は、鉄板を曲げて作成するので作成工程が少なく済み比較的簡単に作成することができる。
【図面の簡単な説明】
【０００６】
【図１】実施形態に係る鉄板用鉄筋固定具の斜視図である。
【図２】実施形態に係る鉄板用鉄筋固定具の第一の変形例を示す斜視図である。
【図３】実施形態に係る鉄板用鉄筋固定具の第二の変形例を示す斜視図である。
【考案を実施するための形態】
【０００７】
以下、本考案の実施の形態について、図面を参照しながら説明する。
図１に本実施形態に係る鉄板用鉄筋固定具Ｘの斜視図を示す。鉄板用鉄筋固定具Ｘは、鋼棒を曲げて製作したフレームであり、鉄板狭持部１０と鉄筋狭持部２０とを有する。鉄板狭持部１０は、鉄筋Ｍを固定する鉄板Ｐを狭持する部分であり、鉄板Ｐの厚さよりもやや狭い隙間を形成するようにＵ字に曲げられた一定間隔を持って平行に配置される鉄板クリップ１１、１１と、鉄板クリップ１１、１１を下方で連結する下部連結部１２とから構成される。鉄筋狭持部２０は固定対象となる端部がＵ字状に曲げられた鉄筋Ｍを狭持する部分であり、鉄筋Ｍの最大径よりもやや狭い隙間を形成するようにＵ字状に曲げられた鉄筋クリップ２１と鉄筋クリップ２１の両端部をそれぞれの鉄板クリップ１１の上方の端部に連結する上部連結部２２、２２とから構成される。鉄筋クリップ２１は、鉄筋クリップ２１の隙間が形成する面に平行な平面と鉄筋クリップの隙間が形成する面に平行な平面とが直交し、Ｕ字の屈曲部が両端部から斜め上方に位置するように傾いて配置される。
【０００８】
次に、以上のような構成を有する鉄板鉄筋固定具Ｘの使用方法について説明する。鉄筋を固定する鉄板は、ここでは幅２０ｃｍ〜６０ｃｍ、長さ３ｍ程度の構造用鋼板を使用する。また、鉄板に固定する鉄筋は鉄板の幅と略同じ長さを有し、両端がＵ字状に曲げられている異形鉄筋を用いる。使用者は鉄板の一方の縁部に鉄板用鉄筋固定具Ｘの鉄板挟持部１０を叩き込むことで嵌め入れて固定する。それから、幅方向に対向する他方の縁部位置にも同様に鉄板用鉄筋固定具Ｘの鉄板挟持部１０を叩き込んで嵌め入れ固定する。次に、鉄筋の一方側のＵ字状に曲げられた部分を一方の鉄板用鉄筋固定具Ｘの鉄筋挟持部２０に叩き込むことで嵌め入れ、さらに、鉄筋の他方側のＵ字状に曲げられた部分を他方の鉄板用鉄筋固定具Ｘの鉄筋挟持部２０に叩き込むことで嵌め入れる。これにより、両端がＵ字状に曲げられた鉄筋が形成する面が鉄板に略垂直に立った状態で固定されることになる。同様の作業を所定本数の鉄筋に関して行い、鉄筋を鉄板に複数固定する。それから、鉄板用鉄筋固定具Ｘに固定された鉄筋をベースとして他の鉄筋を配筋する。配筋が完了したら、鉄板及び鉄筋の周りに、型枠を設置しコンクリートを打設することで、コンクリート構造物が形成される。
このように鉄板用鉄筋固定具Ｘを用いると、溶接作業をすることなく鉄板に鉄筋を垂直に立てて固定できるので作業効率が上がり、また、鉄板への熱応力を加える必要が無くなり鉄板の強度に影響を与える恐れが少ない。
【０００９】
（変形例１）
上記鉄板用鉄筋固定具Ｘは鋼棒を曲げて作ったものであるが、鉄板を挟持する鉄板挟持部と鉄筋を挟持する鉄筋挟持部を有すれば種々の構造を採用することができる。図２に第１の変形例に係る鉄板用鉄筋固定具Ｙの斜視図を示す。鉄板用鉄筋固定具Ｙは、厚さ５ｍｍの長方形の細長い鋼板を折り曲げて製作したものであり、下方側をＵ字に曲げ上方側を斜めに傾斜するように曲げた形状を有する。鉄筋用鉄筋固定具Ｙにおける鉄板挟持部３０は、下方のＵ字状に曲げた部分により形成され、Ｕ字状の部分の隙間は鉄筋を固定する鉄板の厚さよりもやや小さくなるように設定される。鉄筋用鉄筋固定具Ｙにおける鉄筋挟持部４０は、上方の斜めに傾斜するように形成される板状部分により形成され、この真ん中に設けられた、固定する鉄筋の最大径よりもやや狭いスリット状の穴４１が鉄筋を固定する隙間となる。鉄板用鉄筋固定具Ｙは、鋼板を曲げて形成するので比較的簡易に製作することができる。
【００１０】
（変形例２）
上記実施形態では鉄筋挟持部は鉄筋を固定する鉄板の一面側にしか設けられていないが、これを鉄筋を固定する鉄板の両面に設けることもできる。図３に第２の変形例に係る鉄板用鉄筋固定具Ｚの斜視図を示す。鉄板用鉄筋固定具Ｚは厚さ５ｍｍの長方形の細長い鋼板を折り曲げて製作したものであり、上記変形例１に係る鉄板用鉄筋固定具Ｙの下方側にも斜めに傾斜するように曲げた板状部分が設けられ、この部分が鉄筋挟持部５０となる。鉄筋挟持部５０の真ん中にも、固定する鉄筋の最大径よりもやや狭いスリット状の穴５１が形成される。このような形状の鉄板用鉄筋固定具Ｚを用いれば一つの鉄板用鉄筋固定具Ｚで同時に板体の両面に鉄筋を固定することが可能となる。
なお、実施形態に示すような鋼棒を曲げて製作した鉄板用鉄筋固定具にも下方側に鉄筋挟持部を設けることで、同様の効果を奏する鉄板用鉄筋固定具が得られることはいうまでもない。
【符号の説明】
【００１１】
Ｘ、Ｙ、Ｚ  鉄板用鉄筋固定具
１０、３０  鉄板挟持部
２０、４０、５０  鉄筋挟持部
【図１】
0003172212.tif 000003
【図２】
0003172212.tif 000004
【図３】
0003172212.tif 000005